【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
投影手段により投影画像を投影する投影部と、
前記投影部によって投影する前記投影画像を記憶する記憶部と、
前記投影部によって投影された投影画像に対する所定の範囲を検出するセンサと、
前記センサの検出結果を基に前記所定の範囲における検出対象物の状況を解析する判断部と、
前記判断部により前記所定の範囲における検出対象物の状況に応じて前記記憶部から所定の前記投影画像を取り出す取出部と、
前記取出部により取り出される前記投影画像を前記投影部に出力する出力部と、
を備えたことを特徴とする情報出力システム。
【請求項２】
投影手段により投影画像を表示部に投影する情報表示装置と、前記表示部の所定の範囲を検出するセンサと、前記センサの検出結果に応じて前記情報表示装置へ前記投影画像を出力する情報出力装置と、を備えた情報出力システムであって、
前記情報出力装置は、
前記情報表示装置の表示部に投影する前記投影画像を記憶する記憶部と、
前記センサの検出結果を前記センサから受信する受信部と、
前記受信部により受信される前記センサの検出結果を基に前記所定の範囲における検出対象物の状況を解析する判断部と、
前記判断部により前記所定の範囲における検出対象物の状況に応じて前記記憶部から所定の前記投影画像を取り出す取出部と、
前記取出部により取り出される前記投影画像を前記情報表示装置へ送信する送信部と、
を備えたことを特徴とする情報出力システム。
【請求項３】
投影手段により投影画像を表示部に投影する情報表示装置と、前記表示部の所定の範囲を検出するセンサと、前記センサの検出結果に応じて前記情報表示装置へ前記投影画像を出力する情報出力装置と、を備えた情報出力システムであって、
前記情報出力装置は、
前記情報表示装置の表示部に投影する前記投影画像を記憶する記憶部と、
前記センサの検出結果を前記センサから受信する受信部と、
前記受信部により受信される前記センサの検出結果を基に前記所定の範囲における人物の状況を解析する判断部と、
前記判断部により前記所定の範囲における人物の状況に応じて前記記憶部から所定の前記投影画像を取り出す取出部と、
前記取出部により取り出される前記投影画像を前記情報表示装置へ送信する送信部と、
を備えたことを特徴とする情報出力システム。
【請求項４】
投影手段により投影画像を表示部に投影する情報表示装置と、前記表示部の所定の範囲を検出するセンサと、前記センサの検出結果に応じて前記情報表示装置へ前記投影画像を出力する情報出力装置と、を備えた情報出力システムであって、
前記情報出力装置は、
車のナンバープレートに記された分類番号と該分類番号の内容に応じた前記投影画像とを関連付けて記憶する記憶部と、
前記センサの検出結果を前記センサから受信する受信部と、
前記受信部により受信される前記センサの検出結果を基に車のナンバープレートに記された前記分類番号を取得する取得部と、
前記取得部により取得される前記分類番号に関連付けて記憶されている前記投影画像を前記記憶部から取り出す取出部と、
前記取出部により取り出される前記投影画像を前記情報表示装置へ送信する送信部と、
を備えたことを特徴とする情報出力システム。
【請求項５】
投影手段により表示部に投影される投影画像を記憶する記憶部と、
前記表示部の所定の範囲を検出するセンサから検出結果を受信する受信部と、
前記受信部により受信される前記センサの検出結果を基に前記所定の範囲における人物の状況を解析する判断部と、
前記判断部により前記所定の範囲における人物の状況に応じて前記記憶部から所定の前記投影画像を取り出す取出部と、
投影手段により投影画像を前記表示部に投影する情報表示装置に対して前記取出部により取り出される前記投影画像を送信する送信部と、
を備えたことを特徴とする情報出力装置。
【請求項６】
前記判断部は前記所定の範囲に人が存在するか否かを判断し、
前記判断部により前記所定の範囲に人が存在するか否かに応じて前記取出部は前記記憶部から前記投影画像を取り出すことを特徴とする請求項５に記載の情報出力装置。
【請求項７】
前記記憶部は複数の情報を記憶しており、
前記判断部は前記所定の範囲に存在する人の数を判断し、
前記判断部により判断される人の数に相当する数の情報に応じて前記取出部は前記記憶部から前記投影画像を取り出すことを特徴とする請求項５に記載の情報出力装置。
【請求項８】
前記判断部は前記所定の範囲に存在する人の動く速度を判断し、
前記判断部により判断される人の速度に応じて前記取出部は前記記憶部から前記投影画像を取り出すことを特徴とする請求項５に記載の情報出力装置。
【請求項９】
前記判断部は前記所定の範囲に存在する人の推測年齢を判断し、
前記判断部により判断される人の推測年齢に応じて前記取出部は前記記憶部から前記投影画像を取り出すことを特徴とする請求項５に記載の情報出力装置。
【請求項１０】
投影手段により表示部に投影される投影画像を車のナンバープレートに記された分類番号と該分類番号の内容に応じた前記投影画像とを関連付けて記憶する記憶部と、
前記表示部の所定の範囲を検出するセンサから検出結果を受信する受信部と、
前記受信部により受信される前記センサの検出結果を基に車のナンバープレートに記された前記分類番号を取得する取得部と、
前記取得部により取得される前記分類番号に関連付けて記憶されている前記投影画像を前記記憶部から取り出す取出部と、
投影手段により投影画像を前記表示部に投影する情報表示装置に対して前記取出部により取り出される前記投影画像を送信する送信部と、
を備えたことを特徴とする情報出力装置
【請求項１１】
投影手段により表示部に投影される投影画像を記憶部が記憶するステップ、
前記表示部の所定の範囲を検出するセンサから検出結果を受信部が受信するステップ、
前記受信部により受信される前記センサの検出結果を基に前記所定の範囲における人物の状況を判断部が解析するステップ、
前記判断部により前記所定の範囲における人物の状況に応じて前記記憶部から所定の前記投影画像を取出部が取り出すステップ、
投影手段により投影画像を前記表示部に投影する情報表示装置に対して前記取出部により取り出される前記投影画像を送信部が送信するステップ、
を有することを特徴とする情報出力方法。
【請求項１２】
投影手段により表示部に投影される投影画像を記憶部が記憶する手順、
前記表示部の所定の範囲を検出するセンサから検出結果を受信部が受信する手順、
前記受信部により受信される前記センサの検出結果を基に前記所定の範囲における人物の状況を判断部が解析する手順、
前記判断部により前記所定の範囲における人物の状況に応じて前記記憶部から所定の前記投影画像を取出部が取り出す手順、
投影手段により投影画像を前記表示部に投影する情報表示装置に対して前記取出部により取り出される前記投影画像を送信部が送信する手順、
を実行させることを特徴とする情報出力プログラム。
【請求項１３】
投影手段により表示部に投影される投影画像を記憶部が記憶する手順、
前記表示部の所定の範囲を検出するセンサから検出結果を受信部が受信する手順、
前記受信部により受信される前記センサの検出結果を基に前記所定の範囲における人物の状況を判断部が解析する手順、
前記判断部により前記所定の範囲における人物の状況に応じて前記記憶部から所定の前記投影画像を取出部が取り出す手順、
投影手段により投影画像を前記表示部に投影する情報表示装置に対して前記取出部により取り出される前記投影画像を送信部が送信する手順、
を実行させる情報出力プログラムを記録したコンピュータが読み取り可能な記録媒体。
【手続補正２】
【補正対象書類名】明細書
【補正対象項目名】０００５
【補正方法】変更
【補正の内容】
【０００５】
上記目的を達成するために、本発明は、投影手段により投影画像を投影する投影部と、前記投影部によって投影する前記投影画像を記憶する記憶部と、前記投影部によって投影された投影画像に対する所定の範囲を検出するセンサと、前記センサの検出結果を基に前記所定の範囲における検出対象物の状況を解析する判断部と、前記判断部により前記所定の範囲における検出対象物の状況に応じて前記記憶部から所定の前記投影画像を取り出す取出部と、前記取出部により取り出される前記投影画像を前記投影部に出力する出力部と、を備えたことを特徴とする。
また、本発明は、投影手段により投影画像を表示部に投影する情報表示装置と、前記表示部の所定の範囲を検出するセンサと、前記センサの検出結果に応じて前記情報表示装置へ前記投影画像を出力する情報出力装置と、を備えた情報出力システムであって、前記情報出力装置は、前記情報表示装置の表示部に投影する前記投影画像を記憶する記憶部と、前記センサの検出結果を前記センサから受信する受信部と、前記受信部により受信される前記センサの検出結果を基に前記所定の範囲における検出対象物の状況を解析する判断部と、前記判断部により前記所定の範囲における検出対象物の状況に応じて前記記憶部から所定の前記投影画像を取り出す取出部と、前記取出部により取り出される前記投影画像を前記情報表示装置へ送信する送信部と、を備えたことを特徴とする。
また、本発明は、投影手段により投影画像を表示部に投影する情報表示装置と、前記表示部の所定の範囲を検出するセンサと、前記センサの検出結果に応じて前記情報表示装置へ前記投影画像を出力する情報出力装置と、を備えた情報出力システムであって、前記情報出力装置は、前記情報表示装置の表示部に投影する前記投影画像を記憶する記憶部と、前記センサの検出結果を前記センサから受信する受信部と、前記受信部により受信される前記センサの検出結果を基に前記所定の範囲における人物の状況を解析する判断部と、前記判断部により前記所定の範囲における人物の状況に応じて前記記憶部から所定の前記投影画像を取り出す取出部と、前記取出部により取り出される前記投影画像を前記情報表示装置へ送信する送信部と、を備えたことを特徴とする情報出力システムである。
本発明によれば、センサによる検知結果に基づき、センサが検出する所定の範囲における人物の状況に応じて情報表示装置の表示部に表示される情報を切替えることが可能になる。